(57)【要約】  本発明は異形スクリーンに関し、当該異形スクリーンは、画素エリア及び画素エリアの外側にある異形境界を含む異形表示エリアと、異形境界の外側に設けられ、異形表示エリアをパッケージするためのパッケージエリアと、異形境界とパッケージエリアとの間にあり、異形境界からパッケージエリアへ向かう方向に従って一本ずつ配線される複数の接続回線とを含む。配線の過程において、複数の接続回線がコンパクトな配線となるように、異形境界からパッケージエリアへ向かう方向に従って、接続回線は曲がりながら配線される。また、本発明は表示装置に関する。上記異形スクリーン及び表示装置は、複数の接続回線がコンパクトな配線で且つ全体的に前記異形境界に寄って配線されるため、複数の接続回線の配線の所要空間が減少され、その結果、異形スクリーンの異形表示エリアの狭いベゼルが実現できるとともに、異形スクリーンのその他の関連回線の配線もやりやすくなる。
2020522734.tif 000002
【特許請求の範囲】
【請求項１】
画素エリア及び前記画素エリアの外側にある異形境界を含む異形表示エリアと、
前記異形境界の外側に設けられ、前記異形表示エリアをパッケージするためのパッケージエリアと、
前記異形境界と前記パッケージエリアとの間にあり、前記異形境界から前記パッケージエリアへ向かう方向に従って一本ずつ配線された複数の接続回線と、を含む異形スクリーンであって、
前記異形境界から前記パッケージエリアへ向かう方向に従って、各接続回線は順次に前記画素エリアの画素と接続され、前記異形境界に近い側の一本の接続回線が対応の画素と接続された後、残りの各接続回線の全体は、前記複数の接続回線がコンパクトな配線で且つ全体的に前記異形境界に寄って配線されるように、前記異形境界側へ曲がって配線されている、ことを特徴とする異形スクリーン。
【請求項２】
前記異形表示エリアの前記画素エリアは二つの突起エリアを含み、前記二つの突起エリアとの間に凹部が形成され、前記突起エリアの前記凹部に近い辺が前記異形境界を形成し、前記異形境界は弧形構造である、ことを特徴とする請求項１に記載の異形スクリーン。
【請求項３】
複数の補償負荷を更に含み、
前記補償負荷は前記突起エリアの一つの辺に配置され、前記補償負荷の所在する辺は前記異形境界と隣り合い、
前記接続回線のそれぞれは、前記補償負荷と前記突起エリアにおける対応の画素とを接続するものである、ことを特徴とする請求項２に記載の異形スクリーン。
【請求項４】
前記突起エリアの画素は行と列に並び、
前記補償負荷のそれぞれは、対応の接続回線を介して前記突起エリアにおける対応の行の画素と接続されており、
前記異形境界から前記パッケージエリアへ向かう方向に従って、各接続回線は順次に前記画素エリアの画素と接続され、前記異形境界に最も近い一本の接続回線が対応の画素と先に接続された後、残りの各接続回線は、前記複数の接続回線の配線がコンパクトになるように、順次に前記異形境界側へ曲がって配線されている、ことを特徴とする請求項３に記載の異形スクリーン。
【請求項５】
前記補償負荷はコンデンサであることを特徴とする請求項３に記載の異形スクリーン。
【請求項６】
複数のデータ信号ユニットを更に含み、
前記複数のデータ信号ユニットは前記異形境界と前記パッケージエリアとの間に配置されており、
前記接続回線は複数のデータ線を含み、前記複数のデータ線は前記データ信号ユニットと前記パッケージエリアとの間に配置されており、
前記データ信号ユニットのそれぞれは、対応の前記データ線を介して前記異形表示エリアにおける対応の画素と接続されており、
前記異形境界に近い側の一本のデータ線が対応の画素と接続された後、残りの各データ線の全体は、前記複数のデータ線がコンパクトな配線で且つ全体的に前記異形境界に寄って配線されるように、前記異形境界側へ曲がって配線されている、ことを特徴とする請求項１に記載の異形スクリーン。
【請求項７】
複数の駆動回路ユニットを更に含み、
前記接続回線は複数の走査線を更に含み、
前記複数の駆動回路ユニットは前記複数のデータ線と前記パッケージエリアとの間に配置されており、
前記複数の走査線は前記複数のデータ線と前記駆動回路ユニットとの間に配置されており、
前記駆動回路ユニットのそれぞれは、対応の前記走査線を介して前記異形表示エリアの画素と接続されており、
前記パッケージエリアに近い側の一本の走査線が対応の画素と接続された後、残りの各走査線の全体は、前記複数の走査線がコンパクトな配線で且つ全体的に前記パッケージエリアに寄って配線されるように、前記パッケージエリア側へ曲がって配線されている、ことを特徴とする請求項１に記載の異形スクリーン。
【請求項８】
前記異形表示エリアは扇形表示エリアを含み、前記異形境界は前記扇形表示エリアの弧形の境界であることを特徴とする請求項１に記載の異形スクリーン。
【請求項９】
複数のデータ信号ユニットを更に含み、
前記複数のデータ信号ユニットは前記異形境界と前記パッケージエリアとの間に配置されており、
前記接続回線は複数のデータ線を含み、
前記複数のデータ線は前記データ信号ユニットと前記パッケージエリアとの間に配置されており、
前記データ信号ユニットのそれぞれは、対応の前記データ線を介して前記扇形表示エリアにおける対応の画素と接続されており、
前記異形境界に近い側の一本のデータ線が対応の画素と接続された後、残りの各データ線の全体は、前記複数のデータ線がコンパクトな配線で且つ全体的に前記異形境界に寄って配線されるように、前記異形境界側へ曲がって配線されている、ことを特徴とする請求項８に記載の異形スクリーン。
【請求項１０】
複数の駆動回路ユニットを更に含み、
前記接続回線は複数の走査線を更に含み、
前記複数の駆動回路ユニットは前記複数のデータ線と前記パッケージエリアとの間に配置されており、
前記複数の走査線は前記複数のデータ線と前記駆動回路ユニットとの間に配置されており、
前記駆動回路ユニットのそれぞれは、対応の前記走査線を介して前記扇形表示エリアの画素と接続されており、
前記パッケージエリアに近い側の一本の走査線が対応の画素と接続された後、残りの各走査線の全体は、前記複数の走査線がコンパクトな配線で且つ全体的に前記パッケージエリアに寄って配線されるように、前記パッケージエリア側へ曲がって配線されている、ことを特徴とする請求項８に記載の異形スクリーン。
【請求項１１】
前記パッケージエリアと前記複数の接続回路との間に配置されている陰極電源コードを更に含むことを特徴とする請求項１に記載の異形スクリーン。
【請求項１２】
請求項１〜１１のいずれか一項に記載の異形スクリーンを含むことを特徴とする表示装置。
【発明の詳細な説明】
【技術分野】
【０００１】
本発明はスクリーンの技術分野に関し、特に異形スクリーン及び表示装置に関する。
【背景技術】
【０００２】
従来、表示パネルの設計において、画面占有率が高いことが望まれている一方、スピーカーやカメラなどの必要部品を取り除いてはいけないことになっている。そこで、上記要望に応えるために、スクリーンの局部にノッチをあけたり、例えばスクリーンの四つの角部を円弧形にしたりすることが考えられる。通常の矩形のスクリーンに対して、上記のようにノッチ又は円弧形角部を有するスクリーンは異形スクリーンと呼ばれる。
【発明の概要】
【発明が解決しようとする課題】
【０００３】
異形スクリーンは既にトレンドになっている。通常、異形スクリーンは異形表示エリアと、異形表示エリアの外側にある配線エリアとを含む。異形表示エリアの走査線、データ線又はその他の補償回路接続線が配線エリアに配置されている。ここで、走査線、データ線又はその他の補償回路の接続線はそれぞれ異形表示エリアにおける対応の行の画素と接続されている。通常形状の表示エリアと比べて、異形表示エリアの外側での配線はより複雑で混んでしまうため、所要空間がより広くなり、異形スクリーンの異形表示エリアが対応するベゼルを狭くすることが難しい。
【０００４】
そこで、本発明は、異形スクリーンの異形表示エリアの狭いベゼルを実現できる異形スクリーン及び表示装置を提供する。
【課題を解決するための手段】
【０００５】
本発明による異形スクリーンは、画素エリア及び前記画素エリアの外側にある異形境界を含む異形表示エリアと、前記異形境界の外側に設けられて前記異形表示エリアをパッケージするためのパッケージエリアと、前記異形境界と前記パッケージエリアとの間にあり、前記異形境界から前記パッケージエリアへ向かう方向に従って一本ずつ配線された複数の接続回線とを含み、各接続回線は前記異形境界から前記パッケージエリアへ向かう方向に従って順次に前記画素エリアの画素と接続され、前記異形境界に近い側の一本の接続回線が対応の画素と接続された後、残りの各接続回線の全体は、前記複数の接続回線がコンパクトな配線で且つ全体的に前記異形境界に寄って配線されるように、前記異形境界側へ曲がって配線されている。
【０００６】
一実施例では、前記異形表示エリアの前記画素エリアは二つの突起エリアを含み、前記二つの突起エリアの間に凹部が形成され、前記突起エリアの前記凹部に近い辺が前記異形境界を形成し、前記異形境界は弧形構造である。
【０００７】
一実施例では、前記異形スクリーンは複数の補償負荷を更に含み、前記補償負荷は前記突起エリアの一つの辺に配置され、前記補償負荷の所在する辺は前記異形境界と隣り合い、前記接続回線のそれぞれは、前記補償負荷と前記突起エリアにおける対応の画素とを接続するものである。
【０００８】
一実施例では、前記突起エリアの画素は行と列に並び、前記補償負荷のそれぞれは、対応の接続回線を介して前記突起エリアにおける対応の行の画素と接続されており、各接続回線は、前記異形境界から前記パッケージエリアへ向かう方向に従って、順次に前記画素エリアの画素と接続され、前記異形境界に最も近い一本の接続回線が対応の画素と先に接続された後、残りの各接続回線は、前記複数の接続回線の配線がコンパクトになるように、順次に前記異形境界側へ曲がって配線されている。
【０００９】
一実施例では、前記補償負荷はコンデンサである。
【００１０】
一実施例では、前記異形スクリーンは複数のデータ信号ユニットを更に含み、前記複数のデータ信号ユニットは前記異形境界と前記パッケージエリアとの間に配置されており、前記接続回線は複数のデータ線を含み、前記複数のデータ線は前記データ信号ユニットと前記パッケージエリアとの間に配置されており、前記データ信号ユニットのそれぞれは、対応の前記データ線を介して前記異形表示エリアにおける対応の画素と接続されており、前記異形境界に近い側の一本のデータ線が対応の画素と接続された後、残りの各データ線の全体は、前記複数のデータ線がコンパクトな配線で且つ全体的に前記異形境界に寄って配線されるように、前記異形境界側へ曲がって配線されている。
【００１１】
一実施例では、前記異形スクリーンは複数の駆動回路ユニットを更に含み、前記接続回線は更に複数の走査線を更に含み、前記複数の駆動回路ユニットは前記複数のデータ線と前記パッケージエリアとの間に配置されており、前記複数の走査線は前記複数のデータ線と前記駆動回路ユニットとの間に配置されており、前記駆動回路ユニットのそれぞれは、対応の前記走査線を介して前記異形表示エリアの画素と接続されており、前記パッケージエリアに近い側の一本の走査線が対応の画素と接続された後、残りの各走査線の全体は、前記複数の走査線がコンパクトな配線で且つ全体的に前記パッケージエリアに寄って配線されるように、前記パッケージエリア側へ曲がって配線されている。
【００１２】
一実施例では、前記異形表示エリアは扇形表示エリアを含み、前記異形境界は前記扇形表示エリアの円弧形の境界である。
【００１３】
一実施例では、前記異形スクリーンは複数のデータ信号ユニットを更に含み、前記複数のデータ信号ユニットは前記異形境界と前記パッケージエリアとの間に配置されており、前記接続回線は複数のデータ線を含み、前記複数のデータ線は前記データ信号ユニットと前記パッケージエリアとの間に配置されており、前記データ信号ユニットのそれぞれは、対応の前記データ線を介して前記扇形表示エリアにおける対応の画素と接続されており、前記異形境界に近い側の一本のデータ線が対応の画素と接続された後、残りの各データ線の全体は、前記複数のデータ線がコンパクトな配線で且つ全体的に前記異形境界に寄って配線されるように、前記異形境界側へ曲がって配線されている。
【００１４】
一実施例では、前記異形スクリーンは複数の駆動回路ユニットを更に含み、前記接続回線は複数の走査線を更に含み、前記複数の駆動回路ユニットは前記複数のデータ線と前記パッケージエリアとの間に配置されており、前記複数の走査線は前記複数のデータ線と前記駆動回路ユニットとの間に配置されており、前記駆動回路ユニットのそれぞれは、対応の前記走査線を介して前記扇形表示エリアの画素と接続されており、前記パッケージエリアに近い側の一本の走査線が対応の画素と接続された後、残りの各走査線の全体は、前記複数の走査線がコンパクトな配線で且つ全体的に前記パッケージエリアに寄って配線されるように、前記パッケージエリア側へ曲がって配線されている。
【００１５】
一実施例では、前記異形スクリーンは、前記パッケージエリアと前記複数の接続回路との間に配置されている陰極電源コードを更に含む。
【００１６】
本発明は、上記各実施例のいずれか一つに記載の異形スクリーンを含む表示装置を更に提供する。
【００１７】
上記異形スクリーン及び表示装置によれば、複数の接続回線は前記異形境界と前記パッケージエリアとの間に配置され、且つ、前記複数の接続回線は前記異形境界から前記パッケージエリアに向かう方向に従って一本ずつ配線されている。複数の接続回線の配線において、前記異形境界に近い側の一本の接続回線を対応の画素と先に接続した後、残りの各接続回線の全体は前記異形境界側へ曲げて配線する。これにより、前記複数の接続回路はコンパクトな配線となり且つ全体的に前記異形境界に寄って配線されることができる。また、複数の接続回線の配線所要空間も小さくなる。複数の接続回線の所在エリアは異形表示エリアの少なくとも一部のベゼルに対応するので、複数の接続回線の配線所要空間が小さくなると、異形表示エリアのベゼルを狭くすることができ、従って異形スクリーンの異形表示エリアの狭いベゼルが実現しやすくなる。一方、複数の接続回線は異形境界に寄って配線されるが、これによってベゼルが狭くなるとともに、パッケージエリアと複数の接続回線との間に他の回線の配置が可能となり、異形スクリーンの他の回線の配線のためになる。
【図面の簡単な説明】
【００１８】
本発明による実施例又は従来技術での技術案をより明確に説明するため、実施例又は従来技術の説明において利用する図面について簡単に説明する。言うまでもなく、ここで説明される図面は本発明の一部の実施例に過ぎないが、当業者であれば、これらの図面に基づいて、創造的な苦労をすることなく更に他の実施例に係る図面を得ることができる。
【図１】一つの実施例に係る異形スクリーンの模式図である。
【図２】図１における点線Ａの部分の局部拡大図である。
【図３】図２に示す異形スクリーンの複数の接続回線の配線を示す模式図である。
【図４】他の実施例に係る異形スクリーンの構成を示す模式図である。
【発明を実施するための形態】
【００１９】
次に、添付の図面を参照しながら本発明の具体的な実施形態を詳しく説明する。
【００２０】
図１は一実施例に係る異形スクリーン１００の模式図で、図２は図１における点線Ａの部分の局部拡大図であり、図３は図２に示す異形スクリーン１００の複数の接続回線１３０の配線を示す模式図である。図１ないし図３に示すように、当該異形スクリーン１００は、基板（図示していない）、異形表示エリア１１０、パッケージエリア１２０、及び複数の接続回線１３０を含む。異形表示エリア１１０、複数の接続回線１３０、及びパッケージエリア１２０はいずれも基板上に設けられている。
【００２１】
異形表示エリア１１０は異形境界１１２及び画素エリア１１４を含む。異形境界１１２は、画素エリア１１４の外側にあり、画素エリア１１４と外部エリアの間の境界線である。異形表示エリア１１０の所在する表面における異形境界１１２の投影は、円弧形であってもよく、その他の曲線線分であってもよい。異形境界１１２の形状は異形表示エリア１１０の形状に依存する。画素エリア１１４は表示用の複数の画素を含む。複数の画素が行と列に並ぶのが一般的である。
【００２２】
パッケージエリア１２０は、異形境界１１２の外側に設けられており、異形表示エリア１１０をパッケージするためのものである。
【００２３】
複数の接続回線１３０は、異形境界１１２とパッケージエリア１２０との間にあり、異形境界１１２からパッケージエリア１２０へ向かう方向に従って一本ずつ配線されている。ここで、異形境界１１２からパッケージエリア１２０へ向かう方向に従って、各接続回線は順次に画素エリア１１４の画素と接続され、異形境界１１２に近い側の一本の接続回線が対応の画素と接続された後、残りの各接続回線の全体は、前記複数の接続回線が全体的に前記異形境界に寄って配線されるように、異形境界１１２へ曲がって配線されている。
【００２４】
前記異形スクリーン１００において、複数の接続回線１３０は異形境界１１２とパッケージエリア１２０との間にあり、且つ、複数の接続回線１３０は異形境界１１２からパッケージエリア１２０へ向かう方向に従って一本ずつ配線されている。異形境界１１２に近い側の一本の接続回線が対応の画素と接続された後、残りの各接続回線の全体は異形境界１１２側へ曲がって配線される。これにより、複数の接続回線１３０はコンパクトな配線となり且つ全体的に前記異形境界１１２に寄って配線されることができる。また、複数の接続回線１３０の配線所要空間も小さくなる。複数の接続回線１３０の所在エリアは異形表示エリア１１０のベゼルに対応しているため、複数の接続回線１３０の配線所要空間が小さくなると、異形表示エリア１１０のベゼルをより狭くすることができ、異形スクリーン１００の異形表示エリア１１０の狭いベゼルが実現しやすくなる。一方、複数の接続回線１３０が全体的に前記異形境界１１２に寄って配線されることにより、ベゼルがより狭くなるとともに、パッケージエリア１２０と複数の接続回線１３０との間に更に他の回線を設けることが可能となり、異形スクリーン１００の他の回線の配線のためになる。
【００２５】
図１に示すように、異形表示エリア１１０の画素エリアは隣り合う二つの突起エリア１１６を含み、二つの突起エリア１１６の間に凹部１１８が形成されている。当該凹部１１８に対応する位置に、スピーカーや、カメラなどの補助的なデバイスを配置することができる。
【００２６】
突起エリア１１６の凹部１１８側の辺は、弧形構造の異形境界１１２を形成する。言い換えると、異形表示エリア１１０と直交する方向から観察する場合、突出エリア１１６の凹部１１８側の辺は弧形となっており、当該弧形の辺により異形境界１１２が構成されている。突起エリア１１６の画素は行と列に並んでいる。ただし、突起エリア１１６の形状は通常の矩形ではないため、ここでの画素配列はアレイ状ではなく、つまり、行ごとに画素の数が異なる。
【００２７】
図２に示すように、異形スクリーン１００は複数の補償負荷１４０を更に含む。補償負荷１４０は突起エリア１１６の一つの辺に配置され、前記補償負荷１４０の所在する辺は前記異形境界１１２と隣り合っている。補償負荷１４０は二つの突起エリア１１６の頂上部のそれぞれに設けられている。通常の矩形のスクリーンと比べて、凹部１１８に対応する位置で欠けている画素が各補償負荷１４０で補償されることにより、異形スクリーン１００に非異形スクリーン向けの駆動回路を適用することができる。ここで、非異形スクリーンとは、通常の矩形形状を有する従来のスクリーンのことである。更に、補償負荷１４０はコンデンサである。これにより、異形スクリーン１００に対して、駆動回路を改めて設計する必要がなく、異形スクリーン１００の製造コストが低減できる。
【００２８】
図１、図２及び図３を参照すると、複数の接続回線のそれぞれは補償負荷１４０と突起エリア１１６における対応の画素とを接続している。即ち、補償負荷１４０のそれぞれと突起エリア１１６の対応の行の画素とは、対応の接続回線により互いに接続されている。各接続回線は、配線の際、異形境界１１２からパッケージエリア１２０へ向かう方向に従って、順次に画素エリア１１４の画素と接続される。異形境界１１２に最も近い一本の接続回線が対応の画素と接続された後、残りの各接続回線は、複数の接続回線１３０の配線がコンパクトになるように、順次に異形境界１１２へ曲がって配線される。
【００２９】
具体的に、図３に示すように、補償負荷１４０は突起エリア１１６の頂上部に配置され、複数の接続回線は異形境界１１２に沿って突起エリア１１６の頂上部から凹部１１８の底部へ向かって配線されている。これに応じて、突起エリア１１６の画素のうち、突起エリア１１６の頂上部に最も近い行の画素を一行目画素１と定義し、凹部１１８の底部に最も近い行の画素を最終行画素と定義し、一行目画素１と最終行画素との間の画素行については順次に順位を付ける。複数の接続回線１３０は異形境界１１２からパッケージエリア１２０へ向かう方向に従って一本ずつ配線されている。接続回線と直交する方向において、異形境界１１２に最も近い側の接続回線を第一の接続回線１１と定義し、異形境界１１２から最も遠い側の接続回線を最終接続回線と定義し、第一の接続回線１１と最終接続回線との間の接続回線については順次に順位を付ける。異形境界１１２に最も近い側の接続回線が先に突起エリア１１６の画素と接続される。即ち、第一の接続回線１１と突起エリア１１６の一行目画素１とが先に接続される。それから、残りの接続回線は全体的に異形境界１１２側へ曲がり、つまり、残りの接続回線はできる限り異形境界１１２に近づくように配線される。図３に示すように、第一の接続回線１１が一行目画素１と接続された後、残りの接続回線は第一の曲がりエリア３３を形成する。第二の接続回線２２が突起エリア１１６の二行目画素２と接続された後、残りの接続回線はできる限り異形境界１１２に近づくように異形境界１１２側へ曲がる。残りの接続回線もこのように配線されていく。図３に示すように、第二の接続回線２２が二行目画素２と接続された後、残りの接続回線は異形境界側へ曲がって第二の曲がりエリア４４を形成する。残りの接続回線の配線方法は同様である。このように、複数の接続回線１３０の配線はコンパクトになり、空間の節約ができる。
【００３０】
例えば、図３に示すように、一実施例に係る異形スクリーン１００において、パッケージエリア１２０と異形境界１１２との間の距離が一定である場合、従来の配線方法では複数の接続回線１３０とパッケージエリア１２０との間の距離が僅かの１５４μｍしかないことが、テストによって判った。これに対して、同様な異形スクリーン１００に対して本発明の配線方法で複数の接続回線１３０を配線すれば、複数の接続回線１３０とパッケージエリア１２０との間の距離を２７９μｍにすることができる。これにより、本実施形態による異形スクリーン１００において複数の接続回線１３０の所要空間がより小さいことが十分に証明されている。よって、パッケージエリア１２０から異形境界１１２までの距離を許容の範囲内で縮めることが可能で、つまり、異形表示エリアのベゼルを一層狭くすることが可能となる。或いは、異形表示エリアのベゼルを狭くするとともに、パッケージエリア１２０と複数の接続回線１３０との間に他の回路を更に配置してもよい。
【００３１】
図３に示すように、異形スクリーン１００は陰極電源コードを更に含む。陰極電源コードは基板上の陰極配線エリア１５０に配置されており、当該陰極配線エリア１５０はパッケージエリア１２０と複数の接続回線１３０との間にある。具体的に、複数の接続回線１３０の配線がコンパクトで所要空間が小さいため、複数の接続回線１３０とパッケージエリア１２０との間が陰極電源コードの配線のための配線空間を提供することが可能である。陰極電源コードは、複数の接続回線１３０とパッケージエリア１２０との間に配置されることができるため、配線されやすい。
【００３２】
図４は他の実施例による異形スクリーンの構成を示す模式図である。図４に示すように、異形表示エリアは扇形表示エリア２１０を含む。異形境界２１２は扇形表示エリア２１０の円弧形の境界である。上記突起エリアと同じように、扇形表示エリア２１０の画素も行と列に並んでいる。
【００３３】
図４に示すように、異形スクリーン２００は、異形境界２１２とパッケージエリア２２０との間に配置されている複数のデータ信号ユニット２４１を更に含む。複数のデータ信号ユニット２４１によって異形スクリーン２００の走査回路が構成されている。また、接続回線は、データ信号ユニット２４１とパッケージエリア２２０との間に配置されている複数のデータ線２３２を含む。複数のデータ信号ユニット２４１のそれぞれは、対応のデータ線２３２を介して扇形表示エリア２１０における対応の画素と接続されている。異形境界２１２に近い側の一本のデータ線２３２が対応の画素と接続された後、残りの各データ線２３２の全体は、異形境界２１２側へ曲がって配線され、これにより、複数のデータ線２３２はコンパクトな配線となり且つ異形境界２１２に寄って配線され、空間の節約ができる。
【００３４】
図４において、データ信号ユニット２４１は下から上へと並び、最も下にあるのが一番目のデータ信号ユニット２４１で、最も上にあるのが最終のデータ信号ユニット２４１であって、一番目のデータ信号ユニット２４１と最終のデータ信号ユニット２４１との間のデータ信号ユニット２４１は順次に順位を付けられている。各データ線２３２と直交する方向において、一番目のデータ信号ユニット２４１に最も近い側のデータ線２３２が一番目のデータ線２３２で、これに応じて、一番目のデータ線２３２と直交する方向において、一番目のデータ線２３２から最も離れているデータ線２３２が最終のデータ線２３２であって、一番目のデータ線２３２と最終のデータ線２３２との間のデータ線２３２は順次に順位を付けられている。データ線２３２の配線過程において、データ線２３２は下から上へと配線された。一番目のデータ線２３２で一番目のデータ信号ユニット２４１と扇形表示エリア２１０における対応の画素とは接続されている。残りのデータ線２３２と対応のデータ信号ユニット２４１との間の接続関係に関しても同じようにされ、例えば、二番目のデータ線２３２は二番目のデータ信号ユニット２４１と接続されている。一番目のデータ線２３２が一番目のデータ信号ユニット２４１と接続された後、残りのデータ線２３２の全体は異形境界２１２側へ曲がって配線される。二番目のデータ線２３２が二番目のデータ信号ユニット２４１と接続された後、残りのデータ線２３２の全体は異形境界２１２側へ曲がって配線される。残りのデータ線２３２の配線に関しても、最終のデータ線２３２が最終のデータ信号ユニット２４１と接続されるまで、同じように曲がって配線される。このように、すべてのデータ線２３２の配線がコンパクトになり、空間の節約ができる。
【００３５】
図４に示すように、異形スクリーン２００は複数の駆動回路ユニット２４３を更に含む。接続回線は複数の走査線２３４を更に含む。複数の駆動回路ユニット２４３は複数のデータ線２３２とパッケージエリア２２０との間に配置されている。複数の駆動回路ユニット２４３によって異形スクリーン２００の駆動回路が構成されている。複数の走査線２３４は複数のデータ線２３２と駆動回路ユニット２４３との間に配置されている。駆動回路ユニット２４３のそれぞれは、対応の走査線２３４を介して扇形表示エリア２１０の画素と接続されている。パッケージエリア２２０に近い側の一本の走査線２３４が対応の画素と接続された後、残りの各走査線２３４の全体はパッケージエリア２２０側へ曲がって配線され、これにより、複数の走査線２３４はコンパクトな配線となり且つ全体的にパッケージエリア２２０に寄って配線され、空間の節約ができる。
【００３６】
具体的に、図４において、駆動回路ユニット２４３は上から下へと並び、最も上にあるのが一番目の駆動回路ユニット２４３であり、最も下にあるのが最終の駆動回路ユニット２４３であり、一番目の駆動回路ユニット２４３と最終の駆動回路ユニット２４３との間の駆動回路ユニット２４３は順次に順位を付けられている。各走査線２３４と直交する方向において、一番目の駆動回路ユニット２４３に最も近い側の走査線２３４が一番目の走査線２３４である。これに応じて、一番目の走査線２３４と直行する方向において、一番目の走査線２３４から最も離れている走査線２３４が最終の走査線２３４である。一番目の走査線２３４と最終の走査線２３４との間の走査線２３４は順次に順位を付けられている。走査線２３４の配線過程において、走査線２３４は上から下へと配線される。一番目の走査線２３４は一番目の駆動回路ユニット２４３及び扇形表示エリア２１０の対応の画素と接続される。残りの走査線２３４の接続関係についても同じようにされ、例えば、二番目の走査線２３４は二番目の駆動回路ユニット２４３と接続される。一番目の走査線２３４が一番目の駆動回路ユニット２４３と接続された後、残りの走査線２３４の全体はパッケージエリア２２０側へ曲がって配線される。即ち、残りの走査線２３４は順次に駆動回路ユニット２４３側へ曲がって配線される。二番目の走査線２３４が二番目の駆動回路ユニット２４３と接続された後、残りの走査線２３４の全体はパッケージエリア２２０側へ曲がって配線される。残りの走査線２３４の配線に関しても、最終の走査線２３４が最終の駆動回路ユニット２４３と接続されるまで、上記のように曲がって配線される。これにより、すべての走査線２３４の配線がコンパクトになり、空間の節約ができる。
【００３７】
図４に示すように、複数の走査線２３４及び複数のデータ線２３２の配線によりそれぞれの空間節約ができる。また、複数の走査線２３４は駆動回路ユニット２４３側に寄り、複数のデータ線２３２はデータ信号ユニット２４１側に寄り、これによって、複数の走査線２３４と複数のデータ線２３２との間の間隔が広くなる。よって、走査線２３４及びデータ線２３２を設計する際に、複数の走査線２３４と複数のデータ線２３２とを互いに寄り合うように設計することができ、走査線２３４及びデータ線２３２の合計所要空間を低減する。このように、走査回路及び駆動回路が全体的に扇形表示エリア２１０に近づくことができ、駆動回路とパッケージエリア２２０との間の空間を広くすることができる。
【００３８】
そのため、パッケージエリア２２０から異形境界２１２までの距離は許容の範囲内で縮めることが可能であり、従って異形スクリーン２００のベゼルを狭くすることが可能である。また、ベゼルを狭くするとともに、パッケージエリア２２０と駆動回路との間に他の回線を配置することもできる。例えば、駆動回路とパッケージエリア２２０との間の空間に陰極配線エリア２５０を設けてもよいが、陰極配線エリア２５０に陰極電源コードを配置することにより、陰極電源コードの配線をより容易にすることができる。
【００３９】
上記異形スクリーン２００において、異形表示エリアの画素と接続されている補償負荷、データ信号ユニット２４１、及び駆動回路ユニット２４３は、複数の接続回線２３０の配線構成を説明するための例示に過ぎないことはご理解頂きたい。実際、複数の接続回線２３０の配線構成は任意な異形スクリーン２００の回線に適用されることができる。
【００４０】
本発明は、上記いずれか一つの実施例による異形スクリーンを含む表示装置を更に提供する。これにより、表示装置のスクリーンのベゼルをより狭くすることができる。
【００４１】
上記実施例の各技術的特徴は任意に組み合わせることができ、説明の簡素化のため、上記実施例における各技術的特徴のあらゆる組合せを説明した訳ではないが、矛盾がない限り、これらの技術的特徴の組合せは全て本明細書の記載範囲内のものと理解されるべきである。
【００４２】
上記実施例は本発明のいくつかの実施形態を示したものに過ぎなく、具体的に詳細に説明されてきたが、本発明を限定する目的で提供したものではないことが理解されるべきである。当業者にとって、本発明の発想から逸脱しない限り、様々な変形や改良をしてもよく、これらの変形や改良も本発明の特許保護範囲内のものである。よって、本発明の保護範囲は特許請求の範囲によって特定される。
【図１】
2020522734.tif 000003
【図２】
2020522734.tif 000004
【図３】
2020522734.tif 000005
【図４】
2020522734.tif 000006
【手続補正書】
【提出日】令和1年11月22日(2019.11.22)
【手続補正１】
【補正対象書類名】特許請求の範囲
【補正対象項目名】全文
【補正方法】変更
【補正の内容】
【特許請求の範囲】
【請求項１】
画素エリア及び前記画素エリアの外側にある異形境界を含む異形表示エリアと、
前記異形境界の外側に設けられ、前記異形表示エリアをパッケージするためのパッケージエリアと、
前記異形境界と前記パッケージエリアとの間にあり、前記異形境界から前記パッケージエリアへ向かう方向に従って一本ずつ配線された複数の接続回線と、を含む異形スクリーンであって、
前記異形境界から前記パッケージエリアへ向かう方向に従って、各接続回線は順次に前記画素エリアの画素と接続され、前記異形境界に近い側の一本の接続回線が対応の画素と接続された後、残りの各接続回線の全体は、前記複数の接続回線がコンパクトな配線で且つ全体的に前記異形境界に寄って配線されるように、前記異形境界側へ曲がって配線されている、ことを特徴とする異形スクリーン。
【請求項２】
前記異形表示エリアの前記画素エリアは二つの突起エリアを含み、前記二つの突起エリアとの間に凹部が形成され、前記突起エリアの前記凹部に近い辺が前記異形境界を形成し、前記異形境界は弧形構造である、ことを特徴とする請求項１に記載の異形スクリーン。
【請求項３】
複数の補償負荷を更に含み、
前記補償負荷は前記突起エリアの一つの辺に配置され、前記補償負荷の所在する辺は前記異形境界と隣り合い、
前記接続回線のそれぞれは、前記補償負荷と前記突起エリアにおける対応の画素とを接続するものである、ことを特徴とする請求項２に記載の異形スクリーン。
【請求項４】
前記突起エリアの画素は行と列に並び、
前記補償負荷のそれぞれは、対応の接続回線を介して前記突起エリアにおける対応の行の画素と接続されており、
前記異形境界から前記パッケージエリアへ向かう方向に従って、各接続回線は順次に前記画素エリアの画素と接続され、前記異形境界に最も近い一本の接続回線が対応の画素と先に接続された後、残りの各接続回線は、前記複数の接続回線の配線がコンパクトになるように、順次に前記異形境界側へ曲がって配線されている、ことを特徴とする請求項３に記載の異形スクリーン。
【請求項５】
前記補償負荷はコンデンサであることを特徴とする請求項３に記載の異形スクリーン。
【請求項６】
複数のデータ信号ユニットを更に含み、
前記複数のデータ信号ユニットは前記異形境界と前記パッケージエリアとの間に配置されており、
前記接続回線は複数のデータ線を含み、前記複数のデータ線は前記データ信号ユニットと前記パッケージエリアとの間に配置されており、
前記データ信号ユニットのそれぞれは、対応の前記データ線を介して前記異形表示エリアにおける対応の画素と接続されており、
前記異形境界に近い側の一本のデータ線が対応のデータ信号ユニットと接続された後、残りの各データ線の全体は、前記複数のデータ線がコンパクトな配線で且つ全体的に前記異形境界に寄って配線されるように、前記異形境界側へ曲がって配線されている、ことを特徴とする請求項１に記載の異形スクリーン。
【請求項７】
複数の駆動回路ユニットを更に含み、
前記接続回線は複数の走査線を更に含み、
前記複数の駆動回路ユニットは前記複数のデータ線と前記パッケージエリアとの間に配置されており、
前記複数の走査線は前記複数のデータ線と前記駆動回路ユニットとの間に配置されており、
前記駆動回路ユニットのそれぞれは、対応の前記走査線を介して前記異形表示エリアの画素と接続されており、
前記パッケージエリアに近い側の一本の走査線が対応の駆動回路ユニットと接続された後、残りの各走査線の全体は、前記複数の走査線がコンパクトな配線で且つ全体的に前記パッケージエリアに寄って配線されるように、前記パッケージエリア側へ曲がって配線されている、ことを特徴とする請求項６に記載の異形スクリーン。
【請求項８】
前記異形表示エリアは扇形表示エリアを含み、前記異形境界は前記扇形表示エリアの弧形の境界であることを特徴とする請求項１、６、７のいずれか一項に記載の異形スクリーン。
【請求項９】
前記パッケージエリアと前記複数の接続回路との間に配置されている陰極電源コードを更に含むことを特徴とする請求項１に記載の異形スクリーン。
【手続補正２】
【補正対象書類名】明細書
【補正対象項目名】００１０
【補正方法】変更
【補正の内容】
【００１０】
一実施例では、前記異形スクリーンは複数のデータ信号ユニットを更に含み、前記複数のデータ信号ユニットは前記異形境界と前記パッケージエリアとの間に配置されており、前記接続回線は複数のデータ線を含み、前記複数のデータ線は前記データ信号ユニットと前記パッケージエリアとの間に配置されており、前記データ信号ユニットのそれぞれは、対応の前記データ線を介して前記異形表示エリアにおける対応の画素と接続されており、前記異形境界に近い側の一本のデータ線が対応のデータ信号ユニットと接続された後、残りの各データ線の全体は、前記複数のデータ線がコンパクトな配線で且つ全体的に前記異形境界に寄って配線されるように、前記異形境界側へ曲がって配線されている。
【手続補正３】
【補正対象書類名】明細書
【補正対象項目名】００１１
【補正方法】変更
【補正の内容】
【００１１】
一実施例では、前記異形スクリーンは複数の駆動回路ユニットを更に含み、前記接続回線は更に複数の走査線を更に含み、前記複数の駆動回路ユニットは前記複数のデータ線と前記パッケージエリアとの間に配置されており、前記複数の走査線は前記複数のデータ線と前記駆動回路ユニットとの間に配置されており、前記駆動回路ユニットのそれぞれは、対応の前記走査線を介して前記異形表示エリアの画素と接続されており、前記パッケージエリアに近い側の一本の走査線が対応の駆動回路ユニットと接続された後、残りの各走査線の全体は、前記複数の走査線がコンパクトな配線で且つ全体的に前記パッケージエリアに寄って配線されるように、前記パッケージエリア側へ曲がって配線されている。
【手続補正４】
【補正対象書類名】明細書
【補正対象項目名】００１３
【補正方法】変更
【補正の内容】
【００１３】
一実施例では、前記異形スクリーンは複数のデータ信号ユニットを更に含み、前記複数のデータ信号ユニットは前記異形境界と前記パッケージエリアとの間に配置されており、前記接続回線は複数のデータ線を含み、前記複数のデータ線は前記データ信号ユニットと前記パッケージエリアとの間に配置されており、前記データ信号ユニットのそれぞれは、対応の前記データ線を介して前記扇形表示エリアにおける対応の画素と接続されており、前記異形境界に近い側の一本のデータ線が対応のデータ信号ユニットと接続された後、残りの各データ線の全体は、前記複数のデータ線がコンパクトな配線で且つ全体的に前記異形境界に寄って配線されるように、前記異形境界側へ曲がって配線されている。
【手続補正５】
【補正対象書類名】明細書
【補正対象項目名】００１４
【補正方法】変更
【補正の内容】
【００１４】
一実施例では、前記異形スクリーンは複数の駆動回路ユニットを更に含み、前記接続回線は複数の走査線を更に含み、前記複数の駆動回路ユニットは前記複数のデータ線と前記パッケージエリアとの間に配置されており、前記複数の走査線は前記複数のデータ線と前記駆動回路ユニットとの間に配置されており、前記駆動回路ユニットのそれぞれは、対応の前記走査線を介して前記扇形表示エリアの画素と接続されており、前記パッケージエリアに近い側の一本の走査線が対応の駆動回路ユニットと接続された後、残りの各走査線の全体は、前記複数の走査線がコンパクトな配線で且つ全体的に前記パッケージエリアに寄って配線されるように、前記パッケージエリア側へ曲がって配線されている。
【手続補正６】
【補正対象書類名】明細書
【補正対象項目名】００３３
【補正方法】変更
【補正の内容】
【００３３】
図４に示すように、異形スクリーン２００は、異形境界２１２とパッケージエリア２２０との間に配置されている複数のデータ信号ユニット２４１を更に含む。複数のデータ信号ユニット２４１によって異形スクリーン２００の走査回路が構成されている。また、接続回線は、データ信号ユニット２４１とパッケージエリア２２０との間に配置されている複数のデータ線２３２を含む。複数のデータ信号ユニット２４１のそれぞれは、対応のデータ線２３２を介して扇形表示エリア２１０における対応の画素と接続されている。異形境界２１２に近い側の一本のデータ線２３２が対応のデータ信号ユニットと接続された後、残りの各データ線２３２の全体は、異形境界２１２側へ曲がって配線され、これにより、複数のデータ線２３２はコンパクトな配線となり且つ異形境界２１２に寄って配線され、空間の節約ができる。
【手続補正７】
【補正対象書類名】明細書
【補正対象項目名】００３５
【補正方法】変更
【補正の内容】
【００３５】
図４に示すように、異形スクリーン２００は複数の駆動回路ユニット２４３を更に含む。接続回線は複数の走査線２３４を更に含む。複数の駆動回路ユニット２４３は複数のデータ線２３２とパッケージエリア２２０との間に配置されている。複数の駆動回路ユニット２４３によって異形スクリーン２００の駆動回路が構成されている。複数の走査線２３４は複数のデータ線２３２と駆動回路ユニット２４３との間に配置されている。駆動回路ユニット２４３のそれぞれは、対応の走査線２３４を介して扇形表示エリア２１０の画素と接続されている。パッケージエリア２２０に近い側の一本の走査線２３４が対応の駆動回路ユニットと接続された後、残りの各走査線２３４の全体はパッケージエリア２２０側へ曲がって配線され、これにより、複数の走査線２３４はコンパクトな配線となり且つ全体的にパッケージエリア２２０に寄って配線され、空間の節約ができる。
【国際調査報告】
2020522734.tif 000007
2020522734.tif 000008
2020522734.tif 000009
2020522734.tif 000010